(57)【特許請求の範囲】
【請求項１】
入口冷媒流路に取り付けられた第１の遮断弁と、
出口冷媒流路に取り付けられた第２の遮断弁と、
冷媒漏れ検出器の出力信号を入力する外部入力手段とを有し、
該外部入力手段の状態に基づいて前記第１及び第２の遮断弁を開閉することにより、前記入ロ及び出口冷媒流路を開放又は遮断する遮断弁装置であって、
前記第１の遮断弁と前記第２の遮断弁とを各々独立して駆動する駆動手段と、
点検の際に動作させている遮断弁を示す表示を行う表示手段とを備え、
前記第１及び第２の遮断弁の点検の際に、該第１及び第２の遮断弁のうち一方の遮断弁の開弁動作及び閉弁動作の点検中は、他方の遮断弁を動作させず、前記一方の遮断弁を開弁動作及び閉弁動作させていることを前記表示部に表示させることを特徴とする遮断弁装置。
【発明の詳細な説明】
【技術分野】
【０００１】
本発明は、空調機、冷凍・冷蔵機器等に使用されている冷媒が漏れたときに、冷媒の流れを遮断して冷媒の漏れを防ぐ遮断弁装置に関する。
【背景技術】
【０００２】
近年、地球温暖化防止の観点から、空調機や冷凍・冷蔵機器等からの冷媒漏れが問題になっている。そのため、冷媒漏れ検出器を設置し、その外部出力手段を遮断弁装置に接続し、冷媒の漏れを検出した場合には、冷媒漏れ検出器の外部出力手段から警報信号を出力し、これを受信した遮断弁装置が、室内機等の入口及び出口冷媒流路に設置された２台の電磁弁（遮断弁）を閉弁して冷媒の流れを止め、冷媒の外部への漏洩を防ぐ対策が検討されている。このような遮断弁及び遮断弁装置の一例は、特許文献１に記載されている。
【先行技術文献】
【特許文献】
【０００３】
【特許文献１】特公昭６１−５１３号公報
【発明の概要】
【発明が解決しようとする課題】
【０００４】
上述のような遮断弁装置は、新規の設置や修理、交換又は定期点検等の際に、２台の電磁弁の点検を行うことが多く、各電磁弁が各々正常に動作するか否か、すなわち、開弁及び閉弁の動作確認を行う場合が多い。この種の遮断弁装置は、冷媒漏れが発生した場合の冷媒流路の遮断を目的として設置されていることから、一般的に室内機等の入口及び出口の冷媒流路に取り付けられた２台の電磁弁の開弁及び閉弁の動作タイミングが同時である。
【０００５】
しかし、遮断弁装置に用いられる電磁弁の開閉動作の確認は、通常各電磁弁の動作時の音や振動で行うことが多いため、２台の電磁弁が同じタイミンクで開弁及び閉弁動作すると、一方の電磁弁が故障等で動作していなかった場合でも、他方の電磁弁が正常に動作すると、動作音や振動が発生するため、もう一方の電磁弁が故障していることが判らないという問題があった。
【０００６】
そこで、本発明は、上記従来の遮断弁装置における問題点に鑑みてなされたものであって、遮断弁装置に用いられる２台の電磁弁等の遮断弁の動作確認を容易かつ確実に行うことを目的とする。
【課題を解決するための手段】
【０００７】
上記目的を達成するため、本発明は、入口冷媒流路に取り付けられた第１の遮断弁と、出口冷媒流路に取り付けられた第２の遮断弁と、冷媒漏れ検出器の出力信号を入力する外部入力手段とを有し、該外部入力手段の状態に基づいて前記第１及び第２の遮断弁を開閉することにより、前記入ロ及び出口冷媒流路を開放又は遮断する遮断弁装置であって、前記第１の遮断弁と前記第２の遮断弁とを各々独立して駆動する駆動手段と、点検の際に動作させている遮断弁を示す表示を行う表示手段とを備え、前記第１及び第２の遮断弁の点検の際に、該第１及び第２の遮断弁のうち一方の遮断弁の開弁動作及び閉弁動作の点検中は、他方の遮断弁を動作させず、前記一方の遮断弁を開弁動作及び閉弁動作させていることを前記表示部に表示させることを特徴とする。
【０００８】
そして、本発明によれば、各遮断弁を開閉動作させるための駆動手段を各々独立して設けたので、第１及び第２の遮断弁の点検の際には、第１及び第２の遮断弁を同時に開弁及び閉弁しないようにすることができる。すなわち、一方の遮断弁だけを開弁及び閉弁動作させることができるため、例えば、第２の遮断弁を動作させない状態で第１の遮断弁を開弁、閉弁動作させた後、第１の遮断弁を動作させない状態で、第２の遮断弁を開弁、閉弁動作させることができる。このように一方の遮断弁しか動作させないことによって、動作させている遮断弁が故障している場合には、開弁又は閉弁、もしくは両方の動作が行われないため、動作時の音や振動が発生せず、故障であることを容易に判断することができる。
【０００９】
また、点検の際に動作させている遮断弁を示す表示を行う表示手段を備え、第１及び第２の遮断弁のうち一方の遮断弁の開弁動作及び閉弁動作の点検中は、一方の遮断弁を開弁動作及び閉弁動作させていることを表示部に表示させるため、点検中に遮断弁から動作音や振動が発生しない場合でも、表示手段によって、動作させようとしている遮断弁を特定することができるため、故障している遮断弁を容易に確認することができる。
【発明の効果】
【００１２】
以上のように、本発明によれば、遮断弁装置に用いられる２台の電磁弁等の遮断弁の動作確認を容易かつ確実に行うことが可能となる。
【図面の簡単な説明】
【００１３】
【図１】本発明にかかる遮断弁装置を用いた空調設備の一例を示す構成図である。
【図２】本発明にかかる遮断弁装置の一実施の形態を示すブロック図である。
【図３】図２の遮断弁装置の動作を説明するためのフローチャートである。
【図４】図２の遮断弁装置の動作を説明するためのフローチャートである。
【図５】図２の遮断弁装置の動作の他の例を説明するためのフローチャートである。
【発明を実施するための形態】
【００１４】
次に、本発明を実施するための形態について図面を参照しながら詳細に説明する。
【００１５】
図１は、本発明にかかる遮断弁装置を用いた空調設備であって、複数の部屋を備えたビルなどに設置された空調設備の一例を示す。同図は、上記複数の部屋の冷房を行っている状態を示し、冷媒の流れる方向を矢印で示している。
【００１６】
この空調設備１は、圧縮機２と、凝縮器３と、室外ファン３ａとを備えた室外機１２と、この室外機１２に並列に配管１５によって接続され、膨張弁４（４Ａ〜４Ｃ）と、蒸発器５（５Ａ〜５Ｃ）と、室内ファン６（６Ａ〜６Ｃ）とを備えた複数の室内機１３（１３Ａ〜１３Ｃ）と、各室内機１３と室外機１２との間で冷媒が流れる入口、出口配管に設置された入口側電磁弁（第１の遮断弁）９（９Ａ〜９Ｃ）及び出口側電磁弁（第２の遮断弁）１０（１０Ａ〜１０Ｃ）と、遮断弁制御部８（８Ａ〜８Ｃ）とを備えた各遮断弁装置１４（１４Ａ〜１４Ｃ）等で構成され、室内機１３が取り付けられた各室内には、冷媒漏れ検出器７（７Ａ〜７Ｃ）が設置され、その出力が各遮断弁装置１４の遮断弁制御部８に入力される。
【００１７】
なお、上記空調設備１において、１台の室外機１２に接続される室内機１３の台数は任意であり、本実施の形態では３台設置しているが、１台でも、４台以上でもよい。また、１台の遮断弁装置１４に接続される室内機１３の台数も任意であり、本実施の形態では、１台の遮断弁装置１４に１台の室内機１３を接続しているが、１台の遮断弁装置１４に対して並列に３台の室内機１３を接続してもよい。
【００１８】
さらに、１台の室内機１３に対する冷媒漏れ検出器７の台数、及び１台の冷媒漏れ検出器７に対する室内機１３の台数も任意で、本実施の形態では、１台の室内機１３に対して冷媒漏れ検出器７を１台設けているが、３台の室内機１３に対して１台の冷媒漏れ検出器７を設けてもよく、１台の室内機１３に対して冷媒漏れ検出器７を３台設置してもよい。
【００１９】
遮断弁装置１４の遮断弁制御部８は、図２に示すように、図示しない電源回路、例えばスイッチング電源等を備え、この電源回路に、例えば商用電源であるＡＣ２００Ｖを入力し、制御回路で必要なＤＣ１２ＶやＤＣ５Ｖなどの直流電源に変換する。
【００２０】
遮断弁制御部８のマイコン２１は、プログラムを実行するＣＰＵ２１ａと、プログラムや定数を記憶するＲＯＭ２１ｂと、変数や各種フラグを記憶するＲＡＭ２１ｃと、周辺回路との信号の入出力に必要なＩ／Ｏポート２１ｄと、時間を計測するタイマ２１ｅなどを備え、これらの構成要素は互いに内部バスで接続されている。
【００２１】
外部入力回路２２は、フォトカプラなどで構成された無電圧接点入力回路であり、通常、冷媒漏れ検出器７の外部出力手段であるリレー接点が接続される。冷媒漏れ検出器７は、冷媒漏れを監視しているとき、すなわち、冷媒漏れを検出していないときには外部出力手段のリレー接点を短絡し、冷媒漏れを検出すると開放する。遮断弁装置１４の外部入力は、この冷媒漏れ検出器７の外部出力手段の開閉状態を外部入力回路２２で検出する。
【００２２】
図１に示すように、入口側電磁弁９は、室内機１３の入口配管に取り付けられ、室内機１３に流れ込む冷媒の流れを開放、遮断する。また、出口側電磁弁１０は、室内機１３の出口配管に取り付けられ、室内機１３から流れ出る冷媒の流れを開放、遮断する。両電磁弁９、１０は、通電時に開弁して冷媒を流し、電源切断時には閉弁して冷媒の流れを遮断する。
【００２３】
図２に示すリレー１（Ｒ１）は、第１の駆動手段として入口側電磁弁９を駆動するために備えられ、その接点を短絡すると、例えばＡＣ２００Ｖの電源を入口側電磁弁９に通電して入口側電磁弁９を開弁し、その接点を開放すると、ＡＣ２００Ｖの電源が切断されて入口側電磁弁９が閉弁する。
【００２４】
リレー１（Ｒ１）の駆動回路ＲＤ１は、トランジスタなどで構成され、マイコン２１からの信号を増幅してリレー１（Ｒ１）を駆動する。
【００２５】
リレー２（Ｒ２）は、第２の駆動手段として出口側電磁弁１０を駆動するために備えられ、その接点を短絡すると、例えばＡＣ２００Ｖの電源を出口側電磁弁１０に通電して出口側電磁弁１０を開弁し、その接点を開放すると、ＡＣ２００Ｖの電源が切断されて出口側電磁弁１０が閉弁する。
【００２６】
リレー２（Ｒ２）の駆動回路ＲＤ２は、トランジスタなどで構成され、マイコン２１からの信号を増幅してリレー２（Ｒ２）を駆動する。
【００２７】
リレー３（Ｒ３）は、外部出力手段として機能し、電磁弁９、１０の開弁時には接点を開放し、電磁弁９、１０の閉弁時には接点を短絡させ、電磁弁９、１０の開閉状態を外部に出力する。この外部出力手段は、一般にビルの集中監視装置等に接続され、警報信号として使用される。
【００２８】
リレー３（Ｒ３）の駆動回路ＲＤ３は、トランジスタなどで構成され、マイコン２１からの信号を増幅してリレー３（Ｒ３）を駆動する。
【００２９】
ＬＥＤ１（緑）Ｌ１は、表示手段の一つとしての電源ランプであって、電源通電中に点灯する。このＬＥＤ１（緑）Ｌ１の駆動回路ＬＤ１は、トランジスタなどで構成され、マイコン２１からの信号を増幅してＬＥＤ１（緑）Ｌ１を点灯させる。また、ＬＥＤ１（緑）Ｌ１は、入口側電磁弁９の点検時には入口側電磁弁９を動作させていることを示す表示を行い、具体的には入口側電磁弁９を開弁、閉弁動作させているときにＬＥＤ１（緑）Ｌ１が点灯する。
【００３０】
ＬＥＤ２（橙）Ｌ２は、表示手段の一つとしての開弁ランプであって、外部入力が短絡し、電磁弁９、１０が開弁しているときに点灯する。このＬＥＤ２（橙）Ｌ２の駆動回路ＬＤ２は、トランジスタなどで構成され、マイコン２１からの信号を増幅してＬＥＤ２（橙）Ｌ２を点灯させる。また、ＬＥＤ２（橙）Ｌ２は、入口側電磁弁９又は出口側電磁弁１０の点検時には、動作させている入口側電磁弁９又は出口側電磁弁１０の開弁、閉弁状態を表示する。具体的には入口側電磁弁９又は出口側電磁弁１０が開弁しているときには点灯し、入口側電磁弁９又は出口側電磁弁１０が閉弁しているときには消灯する。
【００３１】
ＬＥＤ３（赤）Ｌ３は、表示手段の一つとしての警報ランプであって、外部入力が開放し、電磁弁９、１０が閉弁しているときに点灯する。このＬＥＤ３（赤）Ｌ３の駆動回路ＬＤ３は、トランジスタなどで構成され、マイコン２１からの信号を増幅してＬＥＤ３（赤）Ｌ３を点灯させる。また、ＬＥＤ３（赤）Ｌ３は、出口側電磁弁１０の点検時には出口側電磁弁１０を動作させていることを示す表示を行い、具体的には出口側電磁弁１０を開弁、閉弁動作させているときにＬＥＤ３（赤）Ｌ３が点灯する。
【００３２】
遮断弁装置１４は、閉弁の自己保持機能を備え、冷媒漏れ検出器７が冷媒漏れを検出し、外部出力手段のリレー接点を開放すると、これに接続された遮断弁装置１４の外部入力回路２２が開放状態となるため、遮断弁装置１４は、電磁弁９、１０を閉弁し、リレー３（Ｒ３）を短絡状態にして開弁ランプであるＬＥＤ２（橙）Ｌ２を消灯し、警報ランプであるＬＥＤ３（赤）Ｌ３を点灯させ、この状態を保持する。その後、冷媒の遮断と換気等により室内の冷媒漏れ量が低下すると、冷媒漏れ検出器７が外部出力手段のリレー接点を短絡に戻すが、遮断弁装置１４は一度閉弁するとその状態を自己保持するため、電磁弁９、１０は開弁しない。
【００３３】
この電磁弁９、１０の閉弁の自己保持を解除するのが復帰スイッチ２３であり、復帰スイッチ２３を例えば３秒以上長押しすると、遮断弁装置１４の閉弁の自己保持が解除され、電磁弁９、１０が開弁され、リレー３（Ｒ３）を開放状態にして警報ランプであるＬＥＤ３（赤）Ｌ３を消灯し、開弁ランプであるＬＥＤ２（橙）Ｌ２を点灯させる。
【００３４】
復帰スイッチ２３の押下状態は、抵抗やコンデンサで構成された復帰スイッチ入力回路２４を介してマイコン２１に入力される。
【００３５】
また、テストスイッチ２５を例えば３秒以上長押しすることによって、電磁弁９、１０の点検を行うことができる。例えば、ランプや電磁弁の点検を行う場合、テストスイッチ２５を３秒以上長押しすると、ＬＥＤ１（緑）Ｌ１、ＬＥＤ２（橙）Ｌ２、ＬＥＤ３（赤）Ｌ３が順次点灯していき、その後に入口側電磁弁９が開弁、閉弁動作し、その後に出口側電磁弁１０が開弁、閉弁動作する。
【００３６】
また、電磁弁９、１０の点検中、入口側電磁弁９を開弁、閉弁動作させているときには、ＬＥＤ１（緑）Ｌ１を点灯させ、また、出口側電磁弁１０を開弁、閉弁動作させているときにはＬＥＤ３（赤）Ｌ３を点灯させる。さらに、電磁弁９、１０が開弁動作されているときにはＬＥＤ２（橙）Ｌ２を点灯させ、電磁弁９、１０が閉弁動作されているときにはＬＥＤ２（橙）Ｌ２を消灯する。
【００３７】
テストスイッチ２５の押下状態は、抵抗やコンデンサで構成されたテストスイッチ入力回路２６を介してマイコン２１に入力される。
【００３８】
なお、外部出力手段であるリレー３（Ｒ３）には、例えば換気扇や警報装置を接続してもよく、ビルの集中監視装置に限定されない。また、本実施の形態では、閉弁状態を自己保持としたが、これに限るものではなく、例えば自動復帰でもよく、その場合、復帰スイッチ２３は不要になる。
【００３９】
さらに、上記ＬＥＤの数量も任意であり、３個に限るものではなく、１個や２個、４個以上でもよい。例えば、警報ランプや電源ランプを設けなくともよい。また、外部入力の開閉状態を点灯／消灯で表す外部入力ランプなどを追加してもよい。
【００４０】
さらにまた、上記スイッチの数量も任意であり、３個や１個でもよく、例えば復帰スイッチ２３を備えるだけでもよく、その場合、電磁弁９、１０の点検は、例えば復帰スイッチ２３を５秒以上長押しなどによって開始してもよい。
【００４１】
なお、スイッチの操作方法や押下時間も任意で、本実施の形態では、電磁弁９、１０の点検を開始するための操作方法としてテストスイッチ２５を３秒以上長押しとしたが、これに限らず、例えばテストスイッチ２５を５秒以上長押しとしたり、復帰スイッチ２３とテストスイッチ２５とを同時に２秒以上長押しすることとしてもよい。
【００４２】
また、外部入力の数量も任意で、本実施の形態では、一つとしたがこれに限らず、冷媒漏れ検出器を複数接続できるように２つ以上の外部入力を設けてもよい。
【００４３】
なお、遮断する冷媒は、例えばＲ１２、Ｒ２２、Ｒ１３４ａ、Ｒ４０４Ａ、Ｒ４１０Ａ、Ｒ４０７Ｃ、Ｒ３２、Ｒ１２３４ｙｆなど様々な冷媒を対象とすることができ、対象とする冷媒は、任意に選択することができ、これらに限るものではない。
【００４４】
次に、図３及び図４を中心に参照しながら、例えばＬＥＤ１（緑）Ｌ１〜ＬＥＤ３（赤）Ｌ３、入口側電磁弁９及び出口側電磁弁１０を点検する遮断弁装置１４の一連の点検動作について説明する。図３及び図４のフローチャートは、マイコン２１のＲＯＭ２１ｂに格納されているプログラムの一部を説明するためのものであり、図３はイニシャル部分、図４はループ部分である。なお、図３及び図４、並びに以下の説明においては、ＬＥＤ１（緑）Ｌ１、ＬＥＤ２（橙）Ｌ２、ＬＥＤ３（赤）Ｌ３を各々単に、ＬＥＤ１、ＬＥＤ２、ＬＥＤ３と表記し、入口側電磁弁９をＳＶin、出口側電磁弁１０をＳＶoutと表記する。また、図３〜図５において、「○」は、ＬＥＤ１〜３の消灯状態、「●」は、ＬＥＤ１〜３の点灯状態、「開」は、ＳＶin、ＳＶoutの開弁状態、「閉」は、ＳＶin、ＳＶoutの閉弁状態を各々表している。
【００４５】
まず、図３を中心に参照しながら、イニシャル処理について説明する。
【００４６】
ステップＳ１において、テストスイッチ２５が３秒以上押下されているか否かを判断する。テストスイッチ２５が３秒以上押下されている場合には（ステップＳ１；Ｙｅｓ）、ステップＳ２において、テストフラグＦｔをセット（１）し、ステップＳ３において、１秒を計測するタイマＴ１ｓをスタートさせて１秒の計測を開始し、ステップＳ４において、テストカウンタＣｔをクリア（０）し、ステップＳ５において、ＬＥＤ１、２、３を消灯し、ＳＶin及びＳＶoutを開弁してイニシャル処理を終える。一方、テストスイッチ２５が３秒以上押下されていないときには（ステップＳ１；Ｎｏ）、何もしないで処理を終える。
【００４７】
次に、図４を中心に参照しながら、ループ部分について説明する。
【００４８】
ステップＳ１１において、図３でセットしたテストフラグＦｔがセット（１）されているか否かを判断する。ここで、テストフラクＦｔがセット（１）されている場合には（ステップＳ１１；Ｙｅｓ）、ステップＳ１２において、テストカウンタＣｔが０であるか否かを判断する。一方、テストフラグＦｔがセット（１）されてないときには（ステップＳ１１；Ｎｏ）、何も実行しないで処理を終える。
【００４９】
ステップＳ１２において、テストカウンタＣｔが０の場合には（ステップＳ１２；Ｙｅｓ）、ステップＳ１３において、タイマＴ１ｓがタイムアップしているか、すなわち、図３でＬＥＤ１、２、３を消灯し、ＳＶin及びＳＶoutを開弁してから１秒経過したか否かを判断する。タイマＴ１ｓがタイムアップしていた場合には（ステップＳ１３；Ｙｅｓ）、すなわち、図３でＬＥＤ１、２、３を消灯し、ＳＶin及びＳＶoutを開弁してから１秒経過しているときには、ステップＳ１４において、ＬＥＤ１を点灯させ、ステップＳ１５において、テストカウンタＣｔに１を加え（Ｃｔ＝１）、ステップＳ１６において、再び１秒を計測するタイマＴ１ｓをスタートして処理を終える。なお、タイマＴ１ｓがタイムアップしていないときには（ステップＳ１３；Ｎｏ）、何もしないで処理を終える。
【００５０】
一方、ステップＳ１２において、Ｃｔが０でない場合には（ステップＳ１２；Ｎｏ）、ステップＳ１７において、Ｃｔが１であるか否かを判断する。Ｃｔが１である場合には（ステップＳ１７；Ｙｅｓ）、ステップＳ１８において、タイマＴ１ｓがタイムアップしているか、すなわち、ＬＥＤ１が点灯してから１秒経過したか否かを判断する。タイマＴ１ｓがタイムアップしている場合、すなわち、ＬＥＤ１が点灯してから１秒経過している場合には（ステップＳ１８；Ｙｅｓ）、ステップＳ１９において、ＬＥＤ１を消灯してＬＥＤ２を点灯させ、ステップＳ２０において、Ｃｔに１を加え（Ｃｔ＝２）、ステップＳ２１において、再び１秒を計測するタイマＴ１ｓをスタートして処理を終える。なお、タイマＴ１ｓがタイムアップしていないときには（ステップＳ１８；Ｎｏ）、何もしないで処理を終える。
【００５１】
ステップＳ１７において、Ｃｔが１でない場合には（ステップＳ１７；Ｎｏ）、ステップＳ２２において、Ｃｔが２であるか否かを判断する。Ｃｔが２である場合には（ステップＳ２２；Ｙｅｓ）、ステップＳ２３において、タイマＴ１ｓがタイムアップしているか、すなわち、ＬＥＤ２が点灯してから１秒経過したか否かを判断する。タイマＴ１ｓがタイムアップしている場合、すなわち、ＬＥＤ２が点灯してから１秒経過している場合には（ステップＳ２３；Ｙｅｓ）、ステップＳ２４において、ＬＥＤ２を消灯してＬＥＤ３を点灯させ、ステップＳ２５において、Ｃｔに１を加え（Ｃｔ＝３）、ステップＳ２６において、再び１秒を計測するタイマＴ１ｓをスタートして処理を終える。なお、タイマＴ１ｓがタイムアップしていないときには（ステップＳ２３；Ｎｏ）、何もしないで処理を終える。
【００５２】
ステップＳ２２において、Ｃｔが２でない場合には（ステップＳ２２；Ｎｏ）、ステップＳ２７において、Ｃｔが３であるか否かを判断する。Ｃｔが３である場合には（ステップＳ２７；Ｙｅｓ）、ステップＳ２８において、タイマＴ１ｓがタイムアップしているか、すなわち、ＬＥＤ３が点灯してから１秒経過したか否かを判断する。タイマＴ１ｓがタイムアップしている場合、すなわち、ＬＥＤ３が点灯してから１秒経過している場合には（ステップＳ２８；Ｙｅｓ）、ステップＳ２９において、ＬＥＤ３を消灯してＬＥＤ１、２を点灯させ、ステップＳ３０において、Ｃｔに１を加え（Ｃｔ＝４）、ステップＳ３１において、再び１秒を計測するタイマＴ１ｓをスタートして処理を終える。なお、タイマＴ１ｓがタイムアップしていないときには（ステップＳ２８；Ｎｏ）、何もしないで処理を終える。ここで、ＬＥＤ１の点灯は、ＳＶinが動作中であることを示し、ＬＥＤ２の点灯は、ＳＶinが開弁状態であることを示す。
【００５３】
ステップＳ２７において、Ｃｔが３でない場合には（ステップＳ２７；Ｎｏ）、ステップＳ３２において、Ｃｔが４であるか否かを判断する。Ｃｔが４である場合には（ステップＳ３２；Ｙｅｓ）、ステップＳ３３において、タイマＴ１ｓがタイムアップしているか、すなわち、ＬＥＤ３が消灯し、ＬＥＤ１、２が点灯してから１秒経過したか否かを判断する。タイマＴ１ｓがタイムアップしている場合、すなわち、ＬＥＤ３が消灯し、ＬＥＤ１、２が点灯してから１秒経過している場合には（ステップＳ３３；Ｙｅｓ）、ステップＳ３４において、ＳＶinを閉弁し、ＬＥＤ２を消灯し、ステップＳ３５において、Ｃｔに１を加え（Ｃｔ＝５）、ステップＳ３６において、再び１秒を計測するタイマＴ１ｓをスタートして処理を終える。なお、タイマＴ１ｓがタイムアップしていないときには（ステップＳ３３；Ｎｏ）、何もしないで処理を終える。ここで、ＬＥＤ２の消灯は、ＳＶinが閉弁状態であることを表している。
【００５４】
ステップＳ３２において、Ｃｔが４でない場合には（ステップＳ３２；Ｎｏ）、ステップＳ３７において、Ｃｔが５であるか否かを判断する。Ｃｔが５である場合には（ステップＳ３７；Ｙｅｓ）、ステップＳ３８において、タイマＴ１ｓがタイムアップしているか、すなわち、ＳＶinを閉弁し、ＬＥＤ２を消灯してから１秒経過したか否かを判断する。タイマＴ１ｓがタイムアップしている場合、すなわち、ＳＶinを閉弁し、ＬＥＤ２を消灯してから１秒経過している場合には（ステップＳ３８；Ｙｅｓ）、ステップＳ３９において、ＳＶinを開弁し、ＬＥＤ２を点灯させ、ステップＳ４０において、Ｃｔに１を加え（Ｃｔ＝６）、ステップＳ４１において、再び１秒を計測するタイマＴ１ｓをスタートして処理を終える。なお、タイマＴ１ｓがタイムアップしていないときには（ステップＳ３８；Ｎｏ）、何もしないで処理を終える。ここで、ＬＥＤ２の点灯はＳＶinが開弁状態であることを表している。
【００５５】
ステップＳ３７において、Ｃｔが５でない場合には（ステップＳ３７；Ｎｏ）、ステップＳ４２において、Ｃｔが６であるか否かを判断する。Ｃｔが６である場合には（ステップＳ４２；Ｙｅｓ）、ステップＳ４３において、タイマＴ１ｓがタイムアップしているか、すなわち、ＳＶinを開弁し、ＬＥＤ２を点灯させてから１秒経過したか否かを判断する。タイマＴ１ｓがタイムアップしている場合、すなわち、ＳＶinを開弁し、ＬＥＤ２を点灯させてから１秒経過している場合には（ステップＳ４３；Ｙｅｓ）、ステップＳ４４において、ＬＥＤ１を消灯し、ＬＥＤ３を点灯させ、ステップＳ４５において、Ｃｔに１を加え（Ｃｔ＝７）、ステップＳ４６において、再び１秒を計測するタイマＴ１ｓをスタートして処理を終える。なお、タイマＴ１ｓがタイムアップしていないときには（ステップＳ４３；Ｎｏ）、何もしないで処理を終える。ここで、ＬＥＤ１の消灯、及びＬＥＤ３の点灯は、ＳＶinの動作終了、及びＳＶoutの動作中を表す。また、点灯中のＬＥＤ２は、ＳＶoutの開弁状態を表している。
【００５６】
ステップＳ４２において、Ｃｔが６でない場合には（ステップＳ４２；Ｎｏ）、ステップＳ４７において、Ｃｔが７であるか否かを判断する。Ｃｔが７である場合には（ステップＳ４７；Ｙｅｓ）、ステップＳ４８において、タイマＴ１ｓがタイムアップしているか、すなわち、ＬＥＤ１を消灯し、ＬＥＤ３を点灯させてから１秒経過したか否かを判断する。タイマＴ１ｓがタイムアップしている場合、すなわち、ＬＥＤ１を消灯し、ＬＥＤ３を点灯させてから１秒経過している場合には（ステップＳ４８；Ｙｅｓ）、ステップＳ４９において、ＳＶoutを閉弁し、ＬＥＤ２を消灯し、ステップＳ５０において、Ｃｔに１を加え（Ｃｔ＝８）、ステップＳ５１において、再び１秒を計測するタイマＴ１ｓをスタートして処理を終える。なお、タイマＴ１ｓがタイムアップしていないときには（ステップＳ４８；Ｎｏ）、何もしないで処理を終える。ここで、ＬＥＤ２の消灯は、ＳＶoutｈが閉弁状態であることを表している。
【００５７】
ステップＳ４７において、Ｃｔが７でない場合には（ステップＳ４７；Ｎｏ）、ステップＳ５２において、Ｃｔが８であるか否かを判断する。Ｃｔが８である場合には（ステップＳ５２；Ｙｅｓ）、ステップＳ５３において、タイマＴ１ｓがタイムアップしているか、すなわち、ＳＶoutを閉弁し、ＬＥＤ２を消灯してから１秒経過したか否かを判断する。タイマＴ１ｓがタイムアップしている場合、すなわち、ＳＶoutを閉弁し、ＬＥＤ２を消灯してから１秒経過している場合には（ステップＳ５３；Ｙｅｓ）、ステップＳ５４において、ＳＶoutを開弁し、ＬＥＤ２を点灯させ、ステップＳ５５において、Ｃｔに１を加え（Ｃｔ＝９）、ステップＳ５６において、再び１秒を計測するタイマＴ１ｓをスタートして処理を終える。なお、タイマＴ１ｓがタイムアップしていないときには（ステップＳ５３；Ｎｏ）、何もしないで処理を終える。ここで、ＬＥＤ２の点灯は、ＳＶoutの開弁状態を表す。
【００５８】
ステップＳ５２において、Ｃｔが８でない場合には（ステップＳ５２；Ｎｏ）、Ｃｔが９であるため、ステップＳ５７において、タイマＴ１ｓがタイムアップしているか、すなわち、ＳＶoutを開弁し、ＬＥＤ２を点灯させてから１秒経過したか否かを判断する。タイマＴ１ｓがタイムアップしている場合、すなわち、ＳＶoutを開弁し、ＬＥＤ２を点灯させてから１秒経過している場合には（ステップＳ５７；Ｙｅｓ）、ステップＳ５８において、テストフラクＦｔをクリア（０）して処理を終える。なお、タイマＴ１ｓがタイムアップしていないときには（ステップＳ５７；Ｎｏ）、何もしないで処理を終える。
【００５９】
次に、遮断弁装置１４の動作の他の例について、図５を中心に参照しながら説明する。この例では、点検時に例えばＬＥＤ１がＳＶinの開弁及び閉弁状態を表し、ＬＥＤ２がＳＶoutの開弁及び閉弁状態を表している。イニシャル部分の動作は、図３と同じであり、ループ部分は、スタートしてからＬＥＤの点検を完了するまでのステップＳ６１〜Ｓ８１までは、図４のステップＳ１１〜Ｓ３１と同じであり、これらについての説明を省略する。
【００６０】
ステップＳ７７において、Ｃｔが３でない場合には（ステップＳ７７；Ｎｏ）、ステップＳ８２において、Ｃｔが４であるか否かを判断する。Ｃｔが４である場合には（ステップＳ８２；Ｙｅｓ）、ステップＳ８３において、タイマＴ１ｓがタイムアップしているか、すなわち、ＬＥＤ３が消灯し、ＬＥＤ１、２が点灯してから１秒経過したか否かを判断する。タイマＴ１ｓがタイムアップしている場合、すなわち、ＬＥＤ３が消灯し、ＬＥＤ１、２が点灯してから１秒経過している場合には（ステップＳ８３；Ｙｅｓ）、ステップＳ８４において、ＳＶinを閉弁し、ＬＥＤ１を消灯し、ステップＳ８５において、Ｃｔに１を加え（Ｃｔ＝５）、再び１秒を計測するタイマＴ１ｓをスタートして処理を終える。なお、タイマＴ１ｓがタイムアップしていないときには（ステップＳ８３；Ｎｏ）、何もしないで処理を終える。ここで、ＬＥＤ１の消灯は、ＳＶinが閉弁状態であることを表している。
【００６１】
ステップＳ８２において、Ｃｔが４でない場合には（ステップＳ８２；Ｎｏ）、ステップＳ８７において、Ｃｔが５であるか否かを判断する。Ｃｔが５である場合には（ステップＳ８７；Ｙｅｓ）、ステップＳ８８において、タイマＴ１ｓがタイムアップしているか、すなわち、ＳＶinを閉弁し、ＬＥＤ１を消灯してから１秒経過したか否かを判断する。タイマＴ１ｓがタイムアップしている場合、すなわち、ＳＶinを閉弁し、ＬＥＤ１を消灯してから１秒経過している場合には（ステップＳ８８；Ｙｅｓ）、ステップＳ８９において、ＳＶinを開弁し、ＬＥＤ１を点灯させ、ステップＳ９０において、Ｃｔに１を加え（Ｃｔ＝６）、再び１秒を計測するタイマＴ１ｓをスタートして処理を終える。なお、タイマＴ１ｓがタイムアップしていないときには（ステップＳ８８；Ｎｏ）、何もしないで処理を終える。ここで、ＬＥＤ１の点灯はＳＶinが開弁状態であることを表している。
【００６２】
ステップＳ８７において、Ｃｔが５でない場合には（ステップＳ８７；Ｎｏ）、ステップＳ９２において、Ｃｔが６であるか否かを判断する。Ｃｔが６である場合には（ステップＳ９２；Ｙｅｓ）、ステップＳ９３において、タイマＴ１ｓがタイムアップしているか、すなわち、ＳＶinを開弁し、ＬＥＤ１を点灯させてから１秒経過したか否かを判断する。タイマＴ１ｓがタイムアップしている場合、すなわち、ＳＶinを開弁し、ＬＥＤ１を点灯させてから１秒経過している場合には（ステップＳ９３；Ｙｅｓ）、ステップＳ９４において、ＳＶoutを閉弁し、ＬＥＤ２を消灯し、ステップＳ９５において、Ｃｔに１を加え（Ｃｔ＝７）、ステップＳ９６において、再び１秒を計測するタイマＴ１ｓをスタートして処理を終える。なお、タイマＴ１ｓがタイムアップしていないときには（ステップＳ９３；Ｎｏ）、何もしないで処理を終える。ここで、ＬＥＤ２の消灯は、ＳＶoutの閉弁状態を表している。
【００６３】
ステップＳ９２において、Ｃｔが６でない場合には（ステップＳ９２；Ｎｏ）、ステップＳ９７において、Ｃｔが７であるか否かを判断する。Ｃｔが７である場合には（ステップＳ９７；Ｙｅｓ）、ステップＳ９８において、タイマＴ１ｓがタイムアップしているか、すなわち、ＳＶoutを閉弁し、ＬＥＤ２を消灯してから１秒経過したか否かを判断する。タイマＴ１ｓがタイムアップしている場合、すなわち、ＳＶoutを閉弁し、ＬＥＤ２を消灯してから１秒経過している場合には（ステップＳ９８；Ｙｅｓ）、ステップＳ９９において、ＳＶoutを開弁し、ＬＥＤ２を点灯させ、ステップＳ１００において、Ｃｔに１を加え（Ｃｔ＝８）、ステップＳ１０１において、再び１秒を計測するタイマＴ１ｓをスタートして処理を終える。なお、タイマＴ１ｓがタイムアップしていないときには（ステップＳ９８；Ｎｏ）、何もしないで処理を終える。ここで、ＬＥＤ２の点灯は、ＳＶoutの開弁状態を表す。
【００６４】
ステップＳ９７において、Ｃｔが７でない場合には（ステップＳ９７；Ｎｏ）、Ｃｔが８であるため、ステップＳ１０２において、タイマＴ１ｓがタイムアップしているか、すなわち、ＳＶoutを開弁し、ＬＥＤ２を点灯させてから１秒経過したか否かを判断する。タイマＴ１ｓがタイムアップしている場合、すなわち、ＳＶoutを開弁し、ＬＥＤ２を点灯させてから１秒経過している場合には（ステップＳ１０２；Ｙｅｓ）、ステップＳ１０３において、テストフラグＦｔをクリア（０）して処理を終える。なお、タイマＴ１ｓがタイムアップしていないときには（ステップＳ１０２；Ｎｏ）、何もしないで処理を終える。
【００６５】
なお、上記実施の形態においては、遮断弁装置１４の遮断弁として電磁弁９、１０（ＳＶin、ＳＶout）を用いたが、電磁弁以外にも電動弁等他の弁を遮断弁として用いることもできる。
【符号の説明】
【００６６】
１  空調設備
２  圧縮機
３  凝縮器
３ａ  室外ファン
４（４Ａ〜４Ｃ）  膨張弁
５（５Ａ〜５Ｃ）  蒸発器
６（６Ａ〜６Ｃ）  室内ファン
７（７Ａ〜７Ｃ）  冷媒漏れ検出器
８（８Ａ〜８Ｃ）  遮断弁制御部
９（９Ａ〜９Ｃ）  入口側電磁弁
１０（１０Ａ〜１０Ｃ）  出口側電磁弁
１２  室外機
１３（１３Ａ〜１３Ｃ）  室内機
１４（１４Ａ〜１４Ｃ）  遮断弁装置
１５  配管
２１  マイコン
２１ａ  ＣＰＵ
２１ｂ  ＲＯＭ
２１ｃ  ＲＡＭ
２１ｄ  Ｉ／Ｏポート
２１ｅ  タイマ
２２  外部入力回路
２３  復帰スイッチ
２４  復帰スイッチ入力回路
２５  テストスイッチ
２６  テストスイッチ入力回路
Ｌ１  ＬＥＤ１（緑）
Ｌ２  ＬＥＤ２（橙）
Ｌ３  ＬＥＤ３（赤）
ＬＤ１  ＬＥＤ１（緑）駆動回路
ＬＤ２  ＬＥＤ２（橙）駆動回路
ＬＤ３  ＬＥＤ３（赤）駆動回路
Ｒ１  リレー１
Ｒ２  リレー２
Ｒ３  リレー３
ＲＤ１  リレー１駆動回路
ＲＤ２  リレー２駆動回路
ＲＤ３  リレー３駆動回路
ＳＶin  入口側電磁弁
ＳＶout  出口側電磁弁
【図１】
0005956728.tif 000002
【図２】
0005956728.tif 000003
【図３】
0005956728.tif 000004
【図４】
0005956728.tif 000005
【図５】
0005956728.tif 000006